(57)【要約】      （修正有）【課題】材料費を低減することができ、短時間で電柱に取付け可能で、容易に通信線または電線を架設することができる可変式バンドを提供する。【解決手段】電柱に巻き付けて締め付け可能な第１乃至第４バンド部材１１〜１４と、ワイヤを留めるための第１支持部（第１ボルト１６）と第２支持部（第２ボルト１８）とを有する。第１支持部および第２支持部は第１乃至第４バンド部材に設けられている。第１乃至第４バンド部材は電柱に巻き付けたとき第１支持部および第２支持部で挟まれる両側の調節位置でそれぞれ長さを調節可能である。調節位置で長さを調節することにより、電柱に巻き付けたとき第１支持部と第２支持部とを電柱の中心線を中心として１８０度乃至９０度の範囲で位置付け可能に構成されている。【選択図】図１
0003199384.tif 000002
【実用新案登録請求の範囲】
【請求項１】
ワイヤを電柱で支持するための可変式バンドであって、
電柱に巻き付けて締め付け可能なバンド部材と、ワイヤを留めるための第１支持部と第２支持部とを有し、
前記第１支持部および前記第２支持部は前記バンド部材に設けられ、
前記バンド部材は電柱に巻き付けたとき前記第１支持部および前記第２支持部で挟まれる両側の調節位置でそれぞれ長さを調節可能に構成され、
前記調節位置で長さを調節することにより、電柱に巻き付けたとき前記第１支持部と前記第２支持部とを電柱の中心線を中心として１８０度乃至９０度の範囲で位置付け可能に構成されていることを、
特徴とする可変式バンド。
【請求項２】
ワイヤを電柱で支持するための可変式バンドであって、
電柱に巻き付け可能な第１バンド部材と第２バンド部材と第３バンド部材と第４バンド部材とを有し、
前記第１乃至第４バンド部材はそれぞれバンド部と取付部とを有し、前記取付部は前記バンド部の先端に設けられてそれぞれ対向可能な挿入孔を有し、前記バンド部は長さ方向に間隔を置いて複数の取付孔を有し、
前記第１バンド部材の前記取付部の前記挿入孔と前記第２バンド部材の前記取付部の前記挿入孔とに挿入される第１ボルトと、前記第１ボルトを締め付けて前記第１バンド部材と前記第２バンド部材とを結合する第１ナットと、前記第３バンド部材の前記取付部の前記挿入孔と前記第４バンド部材の前記取付部の前記挿入孔とに挿入される第２ボルトと、前記第２ボルトを締め付けて前記第３バンド部材と前記第４バンド部材とを結合する第２ナットとを有し、
前記第１バンド部材の前記取付部と前記第２バンド部材の前記取付部との間の前記第１ボルトはワイヤを留めるための第１支持部を構成し、前記第３バンド部材の前記取付部と前記第４バンド部材の前記取付部との間の前記第２ボルトはワイヤを留めるための第２支持部を構成し、
前記第１バンド部材のいずれかの前記取付孔と前記第４バンド部材のいずれかの前記取付孔とに挿入される第３ボルトと、前記第３ボルトを締め付けて前記第１バンド部材と前記第４バンド部材とを結合する第３ナットと、前記第２バンド部材のいずれかの前記取付孔と前記第３バンド部材のいずれかの前記取付孔とに挿入される第４ボルトと、前記第４ボルトを締め付けて前記第２バンド部材と前記第３バンド部材とを結合する第４ナットとを有し、
前記第１乃至第４バンド部材は、電柱に巻き付けたとき前記第１支持部と前記第２支持部とを電柱の中心線を中心として１８０度乃至９０度の範囲で位置付け可能に、前記バンド部の長さと前記取付孔の位置とが設定されていることを、
特徴とする可変式バンド。
【請求項３】
通信線または電線支持用のワイヤを取り付けるためのシンブルが前記第１ボルトおよび前記第２ボルトを軸に回転可能に前記第１支持部および前記第２支持部に取り付けられていることを、特徴とする請求項２記載の可変式バンド。
【請求項４】
前記第１乃至第４バンド部材の各バンド部は、いずれか１つが他の３つより短く、電柱に巻き付けて前記第１支持部と前記第２支持部とを電柱の中心線を中心として９０度で位置付けたとき、各バンド部の前記末端が他のいずれかのバンド部と重なるよう長さが設定されていることを、特徴とする請求項２または３記載の可変式バンド。
【考案の詳細な説明】
【技術分野】
【０００１】
本考案は、ワイヤを電柱で支持するための可変式バンドに関する。
【背景技術】
【０００２】
従来、図５（ａ）に示すように、シンブルを取り付けた２つの電柱用バンド１，２を、互いに反対側に向けて上下に並べて電柱３に取り付け、反対に向いたシンブル４，５からそれぞれ支持線６，７を伸ばして両隣の電柱に架設し、それらの支持線６，７を利用して光ケーブルなどの通信線８を架設する方法が利用されていた。
【０００３】
また、円周を４つに分割した略円弧状の４つのバンド部を、電柱の円周方向に配置し、隣接するバンド部をボルト等の接続部材で接続するとともに、その接続部材で支持線を支持して架空電線を架設する自在バンドが開示されている（例えば、特許文献１参照）。
【先行技術文献】
【特許文献】
【０００４】
【特許文献１】特開２００７−１１０８１０号公報
【考案の概要】
【考案が解決しようとする課題】
【０００５】
しかしながら、図５（ａ）に記載の架設方法では、バンドが２つ必要であり、材料費が嵩むという課題があった。また、２つのバンドを取り付けるため、作業時間も長くかかり、作業の手間も嵩むという課題もあった。特許文献１に記載の４つのバンド部を使用する自在バンドでは、見かけ上は自在バンドは１つであるが、４つのバンド部を取り付ける必要があることから、取付作業が繁雑になり、作業時間が長くなるという課題があった。また、特許文献１に記載のものでは、支持線を支持する接続部材の位置が固定されているため、架空電線を接続部材の位置と異なる方向に曲げて伸ばす場合には、別に自在バンドを取り付ける必要があり、材料費が嵩むという課題があった。
【０００６】
本考案は、このような課題に着目してなされたもので、材料費を低減することができ、短時間で電柱に取付け可能で、容易に通信線または電線を架設することができる可変式バンドを提供することを目的とする。
【課題を解決するための手段】
【０００７】
上記目的を達成するために、本考案に係る可変式バンドは、ワイヤを電柱で支持するための可変式バンドであって、電柱に巻き付けて締め付け可能なバンド部材と、ワイヤを留めるための第１支持部と第２支持部とを有し、前記第１支持部および前記第２支持部は前記バンド部材に設けられ、前記バンド部材は電柱に巻き付けたとき前記第１支持部および前記第２支持部で挟まれる両側の調節位置でそれぞれ長さを調節可能に構成され、前記調節位置で長さを調節することにより、電柱に巻き付けたとき前記第１支持部と前記第２支持部とを電柱の中心線を中心として１８０度乃至９０度の範囲で位置付け可能に構成されていることを、特徴とする。
【０００８】
本考案に係る可変式バンドは、ワイヤを留めるための第１支持部と第２支持部とを、電柱の中心線を中心として１８０度乃至９０度の範囲で位置付け可能なため、ワイヤを電柱から異なる２方向に伸ばす場合にも、１つでワイヤを支持することができ、材料費を低減することができる。また、ワイヤの支持に２つの可変式バンドの取付けを必要としないため、短時間で電柱に取付可能で、容易に通信線または電線を架設することができる。
【０００９】
本考案に係る可変式バンドは、ワイヤを電柱で支持するための可変式バンドであって、第１バンド部材と第２バンド部材と第３バンド部材と第４バンド部材とを有し、前記第１乃至第４バンド部材はそれぞれバンド部と取付部とを有し、前記取付部は前記バンド部の先端に設けられてそれぞれ対向可能な挿入孔を有し、前記バンド部は長さ方向に間隔を置いて複数の取付孔を有し、前記第１バンド部材の前記取付部の前記挿入孔と前記第２バンド部材の前記取付部の前記挿入孔とに挿入される第１ボルトと、前記第１ボルトを締め付けて前記第１バンド部材と前記第２バンド部材とを結合する第１ナットと、前記第３バンド部材の前記取付部の前記挿入孔と前記第４バンド部材の前記取付部の前記挿入孔とに挿入される第２ボルトと、前記第２ボルトを締め付けて前記第３バンド部材と前記第４バンド部材とを結合する第２ナットとを有し、前記第１バンド部材の前記取付部と前記第２バンド部材の前記取付部との間の前記第１ボルトはワイヤを留めるための第１支持部を構成し、前記第３バンド部材の前記取付部と前記第４バンド部材の前記取付部との間の前記第２ボルトはワイヤを留めるための第２支持部を構成し、前記第１バンド部材のいずれかの前記取付孔と前記第４バンド部材のいずれかの前記取付孔とに挿入される第３ボルトと、前記第３ボルトを締め付けて前記第１バンド部材と前記第４バンド部材とを結合する第３ナットと、前記第２バンド部材のいずれかの前記取付孔と前記第３バンド部材のいずれかの前記取付孔とに挿入される第４ボルトと、前記第４ボルトを締め付けて前記第２バンド部材と前記第３バンド部材とを結合する第４ナットとを有し、前記第１乃至第４バンド部材は、電柱に巻き付けたとき前記第１支持部と前記第２支持部とを電柱の中心線を中心として１８０度乃至９０度の範囲で位置付け可能に、前記バンド部の長さと前記取付孔の位置とが設定されていることが好ましい。
【００１０】
本考案に係る可変式バンドは、通信線または電線支持用のワイヤを取り付けるためのシンブルが前記第１ボルトおよび前記第２ボルトを軸に回転可能に前記第１支持部および前記第２支持部に取り付けられていることが好ましい。
【００１１】
本考案に係る可変式バンドにおいて、前記第１乃至第４バンド部材の各バンド部は、いずれか１つが他の３つより短く、電柱に巻き付けて前記第１支持部と前記第２支持部とを電柱の中心線を中心として９０度で位置付けたとき、各バンド部の前記末端が他のいずれかのバンド部と重なるよう長さが設定されていることが好ましい。
【考案の効果】
【００１２】
本考案によれば、材料費を低減することができ、短時間で電柱に取付け可能で、容易に通信線または電線を架設することができる可変式バンドを提供することができる。
【図面の簡単な説明】
【００１３】
【図１】本考案の実施の形態の可変式バンドを示す（ａ）平面図、（ｂ）側面図である。
【図２】図１に示す可変式バンドの第１支持部と第２支持部とを１３５度で位置付けた状態を示す（ａ）平面図、（ｂ）側面図である。
【図３】図１に示す可変式バンドの第１支持部と第２支持部とを９０度で位置付けた状態を示す（ａ）平面図、（ｂ）側面図である。
【図４】図１に示す可変式バンドの第１支持部と第２支持部とにシンブルを取り付けた状態を示す（ａ）平面図、（ｂ）側面図である。
【図５】（ａ）従来の電柱での通信線の架設状態を示す側面図、（ｂ）図４に示す可変式バンドを使用した、電柱でのワイヤの架設状態を示す側面図である。
【考案を実施するための形態】
【００１４】
以下、図面に基づき本考案の実施の形態について説明する。
図１〜図４および図５（ｂ）は、本考案の実施の形態の可変式バンドを示している。
【００１５】
図５（ｂ）に示すように、可変式バンド１０は、通信線または電線支持用のワイヤ６，７を電柱３で支持するために用いられる。
図１〜図４に示すように、可変式バンド１０は、電柱に巻き付け可能な第１バンド部材１１と第２バンド部材１２と第３バンド部材１３と第４バンド部材１４とを有している。
【００１６】
第１乃至第４バンド部材１１〜１４は、それぞれバンド部１１ａ，１２ａ，１３ａ，１４ａと取付部１１ｂ，１２ｂ，１３ｂ，１４ｂとを有している。取付部１１ｂ，１２ｂ，１３ｂ，１４ｂは、バンド部１１ａ，１２ａ，１３ａ，１４ａの先端にＬ字状に曲げて設けられ、それぞれ対向可能な挿入孔を有する。取付部１１ｂ，１２ｂ，１３ｂ，１４ｂには、側部に縁リブが設けられて、強度が高められている。バンド部１１ａ，１２ａ，１３ａ，１４ａは、長さ方向に間隔を置いて複数の取付孔１５を有する。
【００１７】
第１ボルト１６が、第１バンド部材１１の取付部１１ｂの挿入孔と第２バンド部材１２の取付部１２ｂの挿入孔とに挿入される。第１ナット１７が、第１ボルト１６を締め付けて第１バンド部材１１と第２バンド部材１２とを結合する。第２ボルト１８が、第３バンド部材１３の取付部１３ｂの挿入孔と第４バンド部材１４の取付部１４ｂの挿入孔とに挿入される。第２ナット１９が、第２ボルト１８を締め付けて第３バンド部材１３と第４バンド部材１４とを結合する。
【００１８】
第１バンド部材１１の取付部１１ｂと第２バンド部材１２の取付部１２ｂとの間の第１ボルト１６は、ワイヤを留めるための第１支持部を構成する。第３バンド部材１３の取付部１３ｂと第４バンド部材１４の取付部１４ｂとの間の第２ボルト１８は、ワイヤを留めるための第２支持部を構成する。
【００１９】
第３ボルト２０が、第１バンド部材１１のいずれかの取付孔１５と第４バンド部材１４のいずれかの取付孔１５とに挿入される。第３ナット２１が、第３ボルト２０を締め付けて第１バンド部材１１と第４バンド部材１４とを結合する。第４ボルト２２が、第２バンド部材１２のいずれかの取付孔１５と第３バンド部材１３のいずれかの取付孔１５とに挿入される。第４ナット２３が、第４ボルト２２を締め付けて第２バンド部材１２と第３バンド部材１３とを結合する。これにより、第１乃至第４バンド部材１１〜１４は、電柱に巻き付けたとき第１支持部（第１ボルト１６）および第２支持部（第２ボルト１８）で挟まれる両側の調節位置でそれぞれ長さを調節可能に構成されている。
【００２０】
図１〜図３に示すように、第１乃至第４バンド部材１１〜１４は、電柱に巻き付けたとき第１支持部（第１ボルト１６）と第２支持部（第２ボルト１８）とを電柱の中心線を中心として１８０度乃至９０度の範囲で位置付け可能に、バンド部１１ａ，１２ａ，１３ａ，１４ａの長さと取付孔１５の位置とが設定されている。第１支持部（第１ボルト１６）と第２支持部（第２ボルト１８）とは、図１では１８０度で位置付けられ、図２では１３５度で位置付けられ、図３では９０度で位置付けられている。
【００２１】
第１、第３および第４バンド部材１４の各バンド部１１ａ，１３ａ，１４ａは、同じ長さに設定されている。第２バンド部材１２のバンド部１２ａは、第１、第３および第４バンド部材１４の各バンド部１１ａ，１３ａ，１４ａより極端に短く設定されている。これにより、第１乃至第４バンド部材１１〜１４を電柱に巻き付けて第１支持部（第１ボルト１６）と第２支持部（第２ボルト１８）とを電柱の中心線を中心として９０度で位置付けたとき、バンド部１１ａ，１２ａ，１３ａ，１４ａ同士の干渉を防ぎ、各バンド部１１ａ，１２ａ，１３ａ，１４ａの末端が他のいずれかのバンド部１１ａ，１２ａ，１３ａ，１４ａと重なるようになっている。
【００２２】
図４に示すように、通信線または電線支持用のワイヤ６，７を取り付けるためのシンブル２４，２５が、第１ボルト１６および第２ボルト１８を軸に回転可能に第１ボルト１６および第２ボルト１８に取り付けられている。
【００２３】
次に、作用について説明する。
図５（ｂ）に示すように、可変式バンド１０は、電柱３に巻き付けて使用される。シンブル２４，２５には、それぞれワイヤ６，７が取り付けられる。ワイヤ６，７には、通信線または電線８が取り付けられる。
【００２４】
図１〜図３に示すように、可変式バンド１０は、ワイヤ６，７を留めるための第１支持部（第１ボルト１６）と第２支持部（第２ボルト１８）とを、電柱の中心線を中心として１８０度乃至９０度の範囲で位置付け可能なため、ワイヤ６，７を電柱３から異なる２方向に伸ばす場合にも、１つでワイヤ６，７を支持することができ、材料費を低減することができる。また、ワイヤ６，７の支持に２つの可変式バンドの取付けを必要としないため、短時間で電柱３に取付可能で、容易に通信線または電線８を架設することができる。
【符号の説明】
【００２５】
３  電柱
６，７  ワイヤ
８  通信線または電線
１０  可変式バンド
１１  第１バンド部材
１２  第２バンド部材
１３  第３バンド部材
１４  第４バンド部材
１１ａ，１２ａ，１３ａ，１４ａ  バンド部
１１ｂ，１２ｂ，１３ｂ，１４ｂ  取付部
１５  取付孔
１６  第１ボルト
１７  第１ナット
１８  第２ボルト
１９  第２ナット
２０  第３ボルト
２１  第３ナット
２２  第４ボルト
２３  第４ナット
２４，２５  シンブル
【図１】
0003199384.tif 000003
【図２】
0003199384.tif 000004
【図３】
0003199384.tif 000005
【図４】
0003199384.tif 000006
【図５】
0003199384.tif 000007